(57)【要約】【課題】移動可能なユニットを有する原稿撮像装置において、ユニットの移動に係る負荷を一定に保ちつつ、防塵性をより向上させる。【解決手段】原稿撮像装置１００は、原稿を撮像するための撮像素子２１６ａを含み、且つ、第１開口部２１７ａを有する撮像ユニット１１９ａと、撮像ユニットと原稿搬送路の間に移動可能に設けられ、原稿を照らす光源２０２ａを含み、且つ、第２開口部２０６ａを有する照明ユニット１２０ａと、第１開口部と第２開口部の間を照明ユニットの移動に関わらず密閉する防塵ユニット１２３とを有し、防塵ユニットは、第１開口部の全周囲を覆うように取り付けられた第１フィルム２２０ａと、第２開口部の全周囲を覆うように取り付けられた第２フィルム２２０ｂとを含み、光源によって照らされた原稿の反射光が、第１開口部及び第２開口部を通過するように、第１開口部及び第２開口部が配置される。【選択図】図４Ａ
2017098610.tif 000002
【特許請求の範囲】
【請求項１】
原稿を撮像するための撮像素子を含み、且つ、第１開口部を有する撮像ユニットと、
前記撮像ユニットと原稿搬送路の間に移動可能に設けられ、原稿を照らす光源を含み、且つ、第２開口部を有する照明ユニットと、
前記第１開口部と前記第２開口部の間を、前記照明ユニットの移動に関わらず密閉する防塵ユニットと、を有し、
前記防塵ユニットは、前記第１開口部の全周囲を覆うように取り付けられた第１フィルムと、前記第２開口部の全周囲を覆うように取り付けられた第２フィルムとを含み、
前記光源によって照らされた原稿の反射光が、前記第１開口部及び前記第２開口部を通過するように、前記第１開口部及び前記第２開口部が配置される、
ことを特徴とする原稿撮像装置。
【請求項２】
前記第１フィルム及び前記第２フィルムは、ロの字状である、請求項１に記載の原稿撮像装置。
【請求項３】
前記撮像ユニットは、前記原稿撮像装置の筐体に固定される、請求項１または２に記載の原稿撮像装置。
【請求項４】
前記第１フィルム及び前記第２フィルムは、それぞれ前記第１開口部及び前記第２開口部に沿って前記撮像ユニット及び前記照明ユニットのそれぞれに貼り付けられ、且つ、前記第１フィルム及び前記第２フィルムの外周に沿って相互に貼り付けられる、請求項１〜３の何れか一項に記載の原稿撮像装置。
【請求項５】
前記第１フィルム及び前記第２フィルムは、粘着剤により前記撮像ユニット及び前記照明ユニットのそれぞれに貼り付けられ、且つ、溶着により相互に張り付けられる、請求項１〜４の何れか一項に記載の原稿撮像装置。
【発明の詳細な説明】
【技術分野】
【０００１】
本発明は、原稿撮像装置に関し、特に、移動可能なユニットを有する原稿撮像装置に関する。
【背景技術】
【０００２】
撮像ユニット、照明ユニット等を有し、原稿を撮像するスキャナ等の原稿撮像装置では、撮像ユニット又は照明ユニットに埃が堆積した場合、読み取った画像に縦筋ノイズ等が発生するため、高い防塵性が求められている。一方、原稿撮像装置では、ＰＰＣ（Plain Paper Copier）用紙だけでなく、厚紙、カード等の厚い媒体が原稿として用いられる場合がある。このような原稿撮像装置では、厚紙、カード等の媒体が確実に搬送されるように、搬送される原稿の厚さに応じて撮像ユニット又は照明ユニットが移動可能に設けられている。
【０００３】
従来、このような原稿撮像装置では、撮像ユニットと照明ユニットの間に、変形可能なスポンジ部材を敷き詰めて、埃が進入することを防止していた。しかしながら、撮像ユニット又は照明ユニットの移動が繰り返された場合、スポンジ部材が変形し、撮像ユニット又は照明ユニットの移動時に生じる負荷が変化していき、原稿が正しく搬送されなくなる可能性があった。また、スポンジ部材がある程度変形した場合、撮像ユニットと照明ユニットの間に隙間が生じてしまい、防塵性が低下する可能性もあった。
【０００４】
読取フレーム、読取ガイド及びシール機構を備えた画像読取部を有する画像形成装置が開示されている。このシール機構は、読取ガイドのスライド方向に平行に立設されるリブ、およびリブに先端が触れるように配置される可撓性を有する防塵シートを有し、読取フレームおよび読取ガイドの隙間を覆うように構成される（特許文献１を参照）。
【０００５】
また、原稿読取用ガラスの上を移動する原稿の画像を画像読取手段によって読み取る画像読取装置が開示されている。この画像読取装置では、原稿読取用ガラスを保持させるスライダーが、保持部により、原稿の送り方向に沿った副走査方向に摺動可能に保持される。そして、原稿の移動方向下流側におけるスライダーと保持部との間の空間部を遮蔽させるように遮蔽部材が取り付けられている（特許文献２を参照）。
【先行技術文献】
【特許文献】
【０００６】
【特許文献１】特開２０１２−３９２０７号公報
【特許文献２】特開２００７−２０１８８８号公報
【発明の概要】
【発明が解決しようとする課題】
【０００７】
移動可能なユニットを有する原稿撮像装置では、ユニットの移動時に生じる負荷を一定に保ちつつ、防塵性をより向上させることが望まれている。
【０００８】
本発明の目的は、移動可能なユニットを有する原稿撮像装置において、ユニットの移動時に生じる負荷を一定に保ちつつ、防塵性をより向上させることにある。
【課題を解決するための手段】
【０００９】
本実施形態の一側面に係る原稿撮像装置は、原稿を撮像するための撮像素子を含み、且つ、第１開口部を有する撮像ユニットと、撮像ユニットと原稿搬送路の間に移動可能に設けられ、原稿を照らす光源を含み、且つ、第２開口部を有する照明ユニットと、第１開口部と第２開口部の間を、照明ユニットの移動に関わらず密閉する防塵ユニットと、を有し、防塵ユニットは、第１開口部の全周囲を覆うように取り付けられた第１フィルムと、第２開口部の全周囲を覆うように取り付けられた第２フィルムとを含み、光源によって照らされた原稿の反射光が、第１開口部及び第２開口部を通過するように、第１開口部及び第２開口部が配置される。
【００１０】
また、本発明の一側面に係る防塵ユニットは、原稿を撮像するための撮像素子を含む撮像ユニットの第１開口部の全周囲を覆うように取り付けられる第１フィルムと、原稿を照らす光源を含む照明ユニットの第２開口部の全周囲を覆うように取り付けられる第２フィルムとを備え、光源によって照らされた原稿の反射光が第１フィルムの中央部及び第２フィルムの中央部を通過するように第１フィルムの端部周囲と第２フィルムの端部周囲とが密閉されている。
【００１１】
また、本実施形態の一側面に係る防塵ユニットにおいて、第１フィルムの端部周囲と第２フィルムの端部周囲とが直接に接着されていることが好ましい。
【発明の効果】
【００１２】
本発明によれば、フィルムで形成された防塵ユニットにより撮像ユニットの開口部と照明ユニットの開口部の全周囲が覆われるので、撮像ユニットの開口部と照明ユニットの開口部の間は、照明ユニットの移動に関わらず密閉される。したがって、原稿撮像装置は、照明ユニットの移動時に生じる負荷を一定に保ちつつ、防塵性をより向上させることができる。
【図面の簡単な説明】
【００１３】
【図１】原稿搬送装置１００を示す斜視図である。
【図２】原稿搬送装置１００内部の搬送経路を説明するための図である。
【図３】第１防塵ユニット１２３について説明するための模式図である。
【図４Ａ】第１防塵ユニット１２３の斜視図である。
【図４Ｂ】広がった状態の第１防塵ユニット１２３の断面図である。
【図４Ｃ】狭まった状態の第１防塵ユニット１２３の断面図である。
【図５】第１撮像装置１１９ａを下面側から見た図である。
【図６Ａ】ＰＰＣ用紙搬送時の第１防塵ユニット１２３等の断面図である。
【図６Ｂ】カード搬送時の第１防塵ユニット１２３等の断面図である。
【図７Ａ】図６Ａの状態における第１防塵ユニット１２３等を示す斜視図である。
【図７Ｂ】図６Ｂの状態における第１防塵ユニット１２３等を示す斜視図である。
【図８】原稿搬送装置１００の概略構成を示すブロック図である。
【図９Ａ】第１防塵ユニットの他の構成を説明するための図である。
【図９Ｂ】第１防塵ユニットの他の構成を説明するための図である。
【発明を実施するための形態】
【００１４】
以下、本発明の一側面に係る原稿搬送装置について図を参照しつつ説明する。但し、本発明の技術的範囲はそれらの実施の形態に限定されず、特許請求の範囲に記載された発明とその均等物に及ぶ点に留意されたい。
【００１５】
図１は、イメージスキャナとして構成された原稿搬送装置１００を示す斜視図である。
【００１６】
原稿搬送装置１００は、原稿撮像装置の一例である。原稿搬送装置１００は、上側筐体１０１、下側筐体１０２、原稿台１０３、排出台１０５、複数の操作ボタン１０６及び表示装置１０７等を備える。
【００１７】
上側筐体１０１は、原稿搬送装置１００の上面を覆う位置に配置され、原稿つまり時、原稿搬送装置１００内部の清掃時等に開閉可能なようにヒンジにより下側筐体１０２に係合している。
【００１８】
原稿台１０３は、原稿を載置可能に下側筐体１０２に係合している。原稿台１０３には、原稿の搬送方向と直行する方向に移動可能なサイドガイド１０４ａ及び１０４ｂが設けられている。以下では、サイドガイド１０４ａ及び１０４ｂを総じてサイドガイド１０４と称する場合がある。
【００１９】
排出台１０５は、矢印Ａ１で示す方向に回転可能なように、ヒンジにより下側筐体１０２に係合しており、図１のように開いている状態では、排出された原稿を保持することが可能となる。
【００２０】
複数の操作ボタン１０６は、それぞれ上側筐体１０１の表面に配置され、押下されると、各ボタンに応じた操作検出信号を生成して出力する。
【００２１】
表示装置１０７は、液晶、有機ＥＬ等から構成されるディスプレイ及びディスプレイに画像データを出力するインタフェース回路を有し、画像データをディスプレイに表示する。
【００２２】
図２は、原稿搬送装置１００内部の搬送経路を説明するための図である。
【００２３】
原稿搬送装置１００内部の搬送経路は、接触センサ１１１、給送ローラ１１２ａ、１１２ｂ、ブレーキローラ１１３ａ、１１３ｂ、第１発光器１１４ａ、第１受光器１１４ｂ、超音波送信器１１５ａ、超音波受信器１１５ｂ、第１搬送ローラ１１６ａ、１１６ｂ、第１従動ローラ１１７ａ、１１７ｂ、第２発光器１１８ａ、第２受光器１１８ｂ、第１撮像装置１１９ａ、第２撮像装置１１９ｂ、第１照明装置１２０ａ、第２照明装置１２０ｂ、第２搬送ローラ１２１ａ、１２１ｂ及び第２従動ローラ１２２ａ、１２２ｂ等を有している。
【００２４】
以下では、給送ローラ１１２ａ及び１１２ｂを総じて給送ローラ１１２と称する場合がある。また、ブレーキローラ１１３ａ及び１１３ｂを総じてブレーキローラ１１３と称する場合がある。また、第１搬送ローラ１１６ａ及び１１６ｂを総じて第１搬送ローラ１１６と称する場合がある。また、第１従動ローラ１１７ａ及び１１７ｂを総じて第１従動ローラ１１７と称する場合がある。また、第２搬送ローラ１２１ａ及び１２１ｂを総じて第２搬送ローラ１２１と称する場合がある。また、第２従動ローラ１２２ａ及び１２２ｂを総じて第２従動ローラ１２２と称する場合がある。
【００２５】
上側筐体１０１の下面は原稿の搬送路の上側ガイド１０８ａを形成し、下側筐体１０２の上面は原稿の搬送路の下側ガイド１０８ｂを形成する。図２において矢印Ａ２は原稿の搬送方向を示す。以下では、上流とは原稿の搬送方向Ａ２の上流のことをいい、下流とは原稿の搬送方向Ａ２の下流のことをいう。
【００２６】
接触センサ１１１は、給送ローラ１１２及びブレーキローラ１１３の上流側に配置され、原稿台１０３に原稿が載置されているか否かを検出する。接触センサ１１１は、原稿台１０３に原稿が載置されている状態と載置されていない状態とで信号値が変化する第１原稿検出信号を生成して出力する。
【００２７】
第１発光器１１４ａ及び第１受光器１１４ｂは、給送ローラ１１２及びブレーキローラ１１３の下流側、かつ第１搬送ローラ１１６及び第１従動ローラ１１７の上流側に、原稿の搬送路を挟んで対向するように配置される。第１発光器１１４ａは、第１受光器１１４ｂに向けて光を放射する。第１受光器１１４ｂは、第１発光器１１４ａから放射された光を検出し、検出した光に応じた電気信号である第２原稿検出信号を生成して出力する。即ち、第２原稿検出信号は、第１発光器１１４ａと第１受光器１１４ｂの間に原稿が存在する状態と存在しない状態とで信号値が変化する信号である。以下では、第１発光器１１４ａ及び第１受光器１１４ｂを総じて第１光センサ１１４と称する場合がある。
【００２８】
超音波送信器１１５ａ及び超音波受信器１１５ｂは、原稿の搬送路の近傍に、搬送路を挟んで対向するように配置される。超音波送信器１１５ａは超音波を送信する。一方、超音波受信器１１５ｂは、超音波送信器１１５ａにより送信され、原稿を通過した超音波を検出し、検出した超音波に応じた電気信号である超音波信号を生成して出力する。以下では、超音波送信器１１５ａ及び超音波受信器１１５ｂを総じて超音波センサ１１５と称する場合がある。
【００２９】
第２発光器１１８ａ及び第２受光器１１８ｂは、第１搬送ローラ１１６及び第１従動ローラ１１７の下流側、かつ第１撮像装置１１９ａ及び第２撮像装置１１９ｂの上流側に、原稿の搬送路を挟んで対向するように配置される。第２発光器１１８ａは、第２受光器１１８ｂに向けて光を放射する。第２受光器１１８ｂは、第２発光器１１８ａから放射された光を検出し、検出した光に応じた電気信号である第３原稿検出信号を生成して出力する。即ち、第３原稿検出信号は、第２発光器１１８ａと第２受光器１１８ｂの間に原稿が存在する状態と存在しない状態とで信号値が変化する信号である。以下では、第２発光器１１８ａ及び第２受光器１１８ｂを総じて第２光センサ１１８と称する場合がある。
【００３０】
第１撮像装置１１９ａは、撮像ユニットの一例であり、主走査方向に直線状に配列されたＣＣＤ（Charge Coupled Device）による撮像素子を備える縮小光学系タイプの撮像センサを有する。この撮像センサは、原稿の裏面を撮像してアナログの画像信号を生成して出力する。同様に、第２撮像装置１１９ｂは、主走査方向に直線状に配列されたＣＣＤによる撮像素子を備える縮小光学系タイプの撮像センサを有する。この撮像センサは、原稿の表面を撮像してアナログの画像信号を生成して出力する。なお、第１撮像装置１１９ａ及び第２撮像装置１１９ｂを一方だけ配置し、原稿の片面だけを読み取るようにしてもよい。また、ＣＣＤの代わりにＣＭＯＳ（Complementary Metal Oxide Semiconductor）による撮像素子を備える等倍光学系タイプのＣＩＳ（Contact Image Sensor）を利用することもできる。以下では、第１撮像装置１１９ａ及び第２撮像装置１１９ｂを総じて撮像装置１１９と称する場合がある。
【００３１】
第１照明装置１２０ａは、照明ユニットの一例であり、原稿の裏面を照らす光源と、原稿の表面に対して用いられる裏当てとを有し、第１撮像装置１１９ａと原稿搬送路の間であり且つ第２撮像装置１１９ｂと対向する位置に設けられる。同様に、第２照明装置１２０ｂは、原稿の表面を照らす光源と、原稿の裏面に対して用いられる裏当てとを有し、第２撮像装置１１９ｂと原稿搬送路の間であり且つ第１撮像装置１１９ａと対向する位置に設けられる。以下では、第１照明装置１２０ａ及び第２照明装置１２０ｂを総じて照明装置１２０と称する場合がある。
【００３２】
第１撮像装置１１９ａ及び第１照明装置１２０ａの間には、第１防塵ユニット１２３が設けられ、第２撮像装置１１９ｂ及び第２照明装置１２０ｂの間には、第２防塵ユニット１２４が設けられる。
【００３３】
原稿台１０３に載置された原稿は、給送ローラ１１２が図２の矢印Ａ３の方向に回転することによって、上側ガイド１０８ａと下側ガイド１０８ｂの間を原稿搬送方向Ａ２に向かって搬送される。ブレーキローラ１１３は、原稿搬送時、図２の矢印Ａ４の方向に回転する。給送ローラ１１２及びブレーキローラ１１３の働きにより、原稿台１０３に複数の原稿が載置されている場合、原稿台１０３に載置されている原稿のうち給送ローラ１１２と接触している原稿のみが分離される。これにより、分離された原稿以外の原稿の搬送が制限されるように動作する（重送の防止）。給送ローラ１１２及びブレーキローラ１１３は、原稿の分離部として機能する。
【００３４】
原稿は、上側ガイド１０８ａと下側ガイド１０８ｂによりガイドされながら、第１搬送ローラ１１６と第１従動ローラ１１７の間に送り込まれる。原稿は、第１搬送ローラ１１６が図２の矢印Ａ５の方向に回転することによって、第１撮像装置１１９ａと第２撮像装置１１９ｂの間に送り込まれる。撮像装置１１９により読み取られた原稿は、第２搬送ローラ１２１が図２の矢印Ａ６の方向に回転することによって排出台１０５上に排出される。
【００３５】
図３は、撮像装置１１９、照明装置１２０、第１防塵ユニット１２３及び第２防塵ユニット１２４について説明するための模式図である。
【００３６】
図３に示すように、第１照明装置１２０ａは、第１撮像装置１１９ａと原稿搬送路の間に、原稿搬送路に対して直交する方向に移動可能に設けられる。第１照明装置１２０ａには、自重により、第２照明装置１２０ｂ側に向かう方向に力が加えられている。第１照明装置１２０ａは、第１光源２０２ａ、２０３ａ、第１裏当て２０４ａ及び第１ガイド２０５ａ等を有する。第１ガイド２０５ａは、搬送された原稿を第１照明装置１２０ａと第２照明装置１２０ｂの間に案内する。
【００３７】
第２照明装置１２０ｂは、第２撮像装置１１９ｂと原稿搬送路の間に、原稿搬送装置１００の筐体に固定されるように設けられる。第２照明装置１２０ｂは、第２光源２０２ｂ、２０３ｂ、第２裏当て２０４ｂ及び第２ガイド２０５ｂ等を有する。第２ガイド２０５ｂは、搬送された原稿を第１照明装置１２０ａと第２照明装置１２０ｂの間に案内する。
【００３８】
第１撮像装置１１９ａは、第１照明装置１２０ａの上方に、原稿搬送装置１００の筐体に固定されるように設けられる。第１撮像装置１１９ａは、第１ミラー２１１ａ〜２１４ａ、第１レンズ群２１５ａ及び第１撮像素子２１６ａ等を有する。第１光源２０２ａ、２０３ａから放射された光は、搬送される原稿又は第２裏当て２０４ｂで反射し、第１ミラー２１１ａ〜２１４ａ及び第１レンズ群２１５ａを介して第１撮像素子２１６ａに結像する。
【００３９】
第２撮像装置１１９ｂは、第２照明装置１２０ｂの下方に、原稿搬送装置１００の筐体に固定されるように設けられる。第２撮像装置１１９ｂは、第２ミラー２１１ｂ〜２１４ｂ、第２レンズ群２１５ｂ及び第２撮像素子２１６ｂ等を有する。第２光源２０２ｂ、２０３ｂから放射された光は、搬送される原稿又は第１裏当て２０４ａで反射し、第２ミラー２１１ｂ〜２１４ｂ及び第２レンズ群２１５ｂを介して第２撮像素子２１６ｂに結像する。
【００４０】
第１撮像装置１１９ａは、第１照明装置１２０ａと対向する面に、第１光源２０２ａによって照らされた原稿の反射光が通過するように配置された第１開口部２１７ａを有する。また、第１照明装置１２０ａは、第１撮像装置１１９ａと対向する面に、第１光源２０２ａによって照らされた原稿の反射光が通過するように配置された第２開口部２０６ａを有する。同様に、第２撮像装置１１９ｂは、第２照明装置１２０ｂと対向する面に、第２光源２０２ｂによって照らされた原稿の反射光が通過するように配置された第３開口部２１７ｂを有する。また、第２照明装置１２０ｂは、第２撮像装置１１９ｂと対向する面に、第２光源２０２ｂによって照らされた原稿の反射光が通過するように配置された第４開口部２０６ｂを有する。
【００４１】
第１撮像装置１１９ａと第１照明装置１２０ａの間には、第１防塵ユニット１２３が設けられる。第１防塵ユニット１２３は、第１撮像装置１１９ａの第１開口部２１７ａと第１照明装置１２０ａの第２開口部２０６ａの間を密閉する。即ち、第１防塵ユニット１２３は、第１開口部２１７ａと第２開口部２０６ａの間の空間を密閉する。第１防塵ユニット１２３は、フィルムにより移動可能に形成され、第１照明装置１２０ａの移動に関わらず、第１開口部２１７ａと第２開口部２０６ａの間を密閉する。フィルムは、例えば難燃性を規定するＵＬ（Underwriters Laboratories）規格で規定されたＵＬ９４ＶＴＭ−２以上のグレードを有する素材で形成される。これにより、第１光源２０２ａから放射される光により、周囲への影響の発生を抑制することができる。
【００４２】
一方、第２撮像装置１１９ｂと第２照明装置１２０ｂの間には、第２防塵ユニット１２４が設けられる。第２防塵ユニット１２４は、第２撮像装置１１９ｂの第３開口部２１７ｂと第２照明装置１２０ｂの第４開口部２０６ｂの間を密閉する。第２撮像装置１１９ｂ及び第２照明装置１２０ｂは、固定されており移動しないので、第２防塵ユニット１２４は、スポンジによって固定されるように形成され、第３開口部２１７ｂと第４開口部２０６ｂの間を密閉する。
【００４３】
図４Ａは、第１防塵ユニット１２３の斜視図である。図４Ｂは、広がった状態（第１照明装置１２０ａが下降している状態）の第１防塵ユニット１２３の断面図である。図４Ｃは、狭まった状態（第１照明装置１２０ａが上昇している状態）の第１防塵ユニット１２３の断面図である。なお、図４Ｂ及び図４Ｃは、図４Ａの矢印Ｘ−Ｘ’において第１防塵ユニット１２３を切断した位置から矢印Ｘ、Ｘ’の方向に見た図を示している。
【００４４】
図４Ａ〜図４Ｃに示すように、第１防塵ユニット１２３は、第１フィルム２２０ａ及び第２フィルム２２０ｂを含む。第１フィルム２２０ａ及び第２フィルム２２０ｂは、ロの字状、即ち矩形状の開口部２２３を有する矩形の平面形状（中空矩形状）である。第１フィルム２２０ａ及び第２フィルム２２０ｂをロの字状とすることにより、第１フィルム２２０ａ及び第２フィルム２２０ｂを容易且つ安価に形成することができる。なお、第１フィルム２２０ａ及び第２フィルム２２０ｂの外形及び開口部２２３は、円形状、三角形状、波形状等、矩形状以外の形状に形成されてもよい。開口部２２３は、第１フィルム２２０ａ及び第２フィルム２２０ｂの中央部の一例である。
【００４５】
第１フィルム２２０ａ及び第２フィルム２２０ｂは、第１フィルム２２０ａの外周２２１ａ及び第２フィルム２２０ｂの外周２２１ｂに沿って、溶着により、相互に貼りつけられる。即ち、第１フィルム２２０ａの端部周囲と第２フィルム２２０ｂの端部周囲とは、直接に接着されている。一方、第１フィルム２２０ａ及び第２フィルム２２０ｂには、第１フィルム２２０ａの内周２２２ａ及び第２フィルム２２０ｂの内周２２２ｂに沿って、両面テープが貼り付けられている。その両面テープにより、第１フィルム２２０ａが第１撮像装置１１９ａに貼り付けられ、第２フィルム２２０ｂが第１照明装置１２０ａに貼り付けられる。これにより、第１光源２０２ａによって照らされた原稿の反射光が、第１フィルム２２０ａ及び第２フィルム２２０ｂの開口部２２３を通過するように、第１フィルム２２０ａの端部周囲と第２フィルム２２０ｂの端部周囲とが密閉される。
【００４６】
第１フィルム２２０ａの外周２２１ａ及び第２フィルム２２０ｂの外周２２１ｂが溶着により予め貼りつけられていることにより、組立作業を行う作業者は、第１防塵ユニット１２３を取り扱い易くなる。したがって、作業者は、第１防塵ユニット１２３を第１撮像装置１１９ａ及び第１照明装置１２０ａに容易に貼り付けることができる。
【００４７】
なお、第１フィルム２２０ａの内周２２２ａ及び第２フィルム２２０ｂの内周２２２ｂは、接着剤等の両面テープ以外の粘着剤により、第１撮像装置１１９ａ及び第１照明装置１２０ａに貼り付けられてもよい。
【００４８】
図５は、第１防塵ユニット１２３が下面に貼り付けられた第１撮像装置１１９ａを下面側から見た図である。
【００４９】
図５に示すように、第２フィルム２２０ｂの内周２２２ｂに対向する位置に存在する第１フィルム２２０ａの内周２２２ａは、第１開口部２１７ａに沿って第１撮像装置１１９ａに貼り付けられる。これにより、第１フィルム２２０ａは、第１開口部２１７ａの全周囲を覆うように取り付けられる。同様に、第２フィルム２２０ｂの内周２２２ｂは、第２開口部２０６ａに沿って第１照明装置１２０ａに貼り付けられる。これにより、第２フィルム２２０ｂは、第２開口部２０６ａの全周囲を覆うように取り付けられる。
【００５０】
図６Ａは、ＰＰＣ用紙が搬送されている状態の第１撮像装置１１９ａ、第１照明装置１２０ａ及び第１防塵ユニット１２３の断面図である。図６Ｂは、カードが搬送されている状態の第１撮像装置１１９ａ、第１照明装置１２０ａ及び第１防塵ユニット１２３の断面図である。図７Ａは、図６Ａの状態における第１撮像装置１１９ａ、第１照明装置１２０ａ及び第１防塵ユニット１２３の断面を示す斜視図である。図７Ｂは、図６Ｂの状態における第１撮像装置１１９ａ、第１照明装置１２０ａ及び第１防塵ユニット１２３の断面を示す斜視図である。
【００５１】
図６Ａに示すように、第１照明装置１２０ａと第２照明装置１２０ｂの間にＰＰＣ用紙等の用紙Ｐが搬送されている状態（又は用紙が搬送されていない状態）では、第１照明装置１２０ａは、自重により下降し、第１防塵ユニット１２３は上下に広がる。しかしながら、図７Ａに示すように、第１開口部２１７ａ及び第２開口部２０６ａの全周囲は、第１防塵ユニット１２３によって覆われている。そのため、図６Ａ、図７Ａに点線で示したように原稿搬送路から進入してきた埃が、第１撮像装置１１９ａ及び第１照明装置１２０ａ内部に進入することは防止される。
【００５２】
一方、図６Ｂに示すように、第１照明装置１２０ａと第２照明装置１２０ｂの間にカードＣが搬送されている状態では、カードＣにより、第１ガイド２０５ａが押し上げられ、第１ガイド２０５ａと一体的に第１照明装置１２０ａが上昇する。この場合、第１防塵ユニット１２３は、図６Ａに示した状態と比較して上下方向に狭まる。しかしながら、図７Ｂに示すように、第１開口部２１７ａ及び第２開口部２０６ａの全周囲は、第１防塵ユニット１２３によって覆われている。そのため、図６Ｂ、図７Ｂに点線で示したように原稿搬送路から進入してきた埃が、第１撮像装置１１９ａ及び第１照明装置１２０ａ内部に進入することは防止される。
【００５３】
このように、第１防塵ユニット１２３は、柔軟且つ薄いフィルム素材により袋状に形成されているため、第１照明装置１２０ａの移動に関わらず、第１撮像装置１１９ａと第１照明装置１２０ａの間を完全に密閉することができる。
【００５４】
また、第１照明装置１２０ａが移動した場合、第１フィルム２２０ａと第２フィルム２２０ｂが溶着している部分の角度が変化するが、第１フィルム２２０ａ及び第２フィルム２２０ｂ自体は変形しない。したがって、第１照明装置１２０ａの移動を繰り返しても、第１防塵ユニット１２３により第１照明装置１２０ａの移動時に生じる負荷は変化せず、原稿を正しく搬送し続けることが可能となる。さらに、第１照明装置１２０ａの移動を繰り返しても、第１フィルム２２０ａ及び第２フィルム２２０ｂは変形せず、破損しにくいので、第１撮像装置１１９ａと第１照明装置１２０ａの間を密閉し続けることも可能となる。
【００５５】
また、第１防塵ユニット１２３は、第１フィルム２２０ａと第２フィルム２２０ｂを、第１照明装置１２０ａが移動する方向に重ね合わせ、外周部分で貼り合わせることにより、第１照明装置１２０ａが移動する方向に伸縮自在に形成されている。したがって、第１照明装置１２０ａを移動させた時に、第１防塵ユニット１２３により第１照明装置１２０ａに生じる負荷を低減させることが可能となり、第１照明装置１２０ａの可動性が低下することを防ぐことができる。
【００５６】
同様に、第１照明装置１２０ａを移動させた時に、第１照明装置１２０ａにより第１防塵ユニット１２３に生じる負荷も低減するため、第１防塵ユニット１２３が破損することを抑制することができる。さらに、第１照明装置１２０ａを移動させた時に、第１防塵ユニット１２３と第１撮像装置１１９ａ又は第１照明装置１２０ａとの結合部分に生じる負荷も低減する。したがって、第１防塵ユニット１２３が、第１撮像装置１１９ａ又は第１照明装置１２０ａから剥がれてしまうことも抑制することができる。
【００５７】
また、第１防塵ユニット１２３は、平面形状を有し、第１撮像装置１１９ａと第１照明装置１２０ａの間の隙間に配置される。したがって、原稿搬送装置１００内部に、第１防塵ユニット１２３を配置するための大きい空間を確保する必要がないため、装置内部の省スペース化を図ることができる。
【００５８】
また、第１照明装置１２０ａが最も下降している場合でも、第１フィルム２２０ａ及び第２フィルム２２０ｂが伸び切らないように、マージンをもって第１防塵ユニット１２３を形成しておくことが好ましい。これにより、原稿搬送装置１００に振動等が加わって、第１照明装置１２０ａが原稿搬送路に対して水平方向に移動した場合でも、第１防塵ユニット１２３により第１撮像装置１１９ａと第１照明装置１２０ａの間を密閉し続けることが可能となる。
【００５９】
一方、図３に示したように、固定され且つ移動しない第２撮像装置１１９ｂと第２照明装置１２０ｂの間は、スポンジによって固定されるように形成された第２防塵ユニット１２４によって密閉されるので、簡易且つ低コストに防塵性を向上させることができる。
【００６０】
図８は、原稿搬送装置１００の概略構成を示すブロック図である。
【００６１】
原稿搬送装置１００は、前述した構成に加えて、第１Ａ／Ｄ変換器１４０ａ、第２Ａ／Ｄ変換器１４０ｂ、駆動装置１４１、インタフェース装置１４２、記憶装置１４３及びＣＰＵ（Central Processing Unit）１５０等をさらに有する。
【００６２】
第１Ａ／Ｄ変換器１４０ａは、第１撮像装置１１９ａから出力されたアナログの画像信号をアナログデジタル変換してデジタルの画像データを生成し、ＣＰＵ１５０に出力する。同様に、第２Ａ／Ｄ変換器１４０ｂは、第２撮像装置１１９ｂから出力されたアナログの画像信号をアナログデジタル変換してデジタルの画像データを生成し、ＣＰＵ１５０に出力する。これらのデジタルの画像データが読取画像として用いられる。以下では、第１Ａ／Ｄ変換器１４０ａ及び第２Ａ／Ｄ変換器１４０ｂを総じてＡ／Ｄ変換器１４０と称する場合がある。
【００６３】
駆動装置１４１は、１つ又は複数のモータを含み、ＣＰＵ１５０からの制御信号によって、給送ローラ１１２、ブレーキローラ１１３、第１搬送ローラ１１６及び第２搬送ローラ１２１を回転させて原稿の搬送動作を行う。
【００６４】
インタフェース装置１４２は、例えばＵＳＢ等のシリアルバスに準じるインタフェース回路を有し、不図示の情報処理装置（例えば、パーソナルコンピュータ、携帯情報端末等）と電気的に接続して読取画像及び各種の情報を送受信する。また、インタフェース装置１４２の代わりに、無線信号を送受信するアンテナと、所定の通信プロトコルに従って、無線通信回線を通じて信号の送受信を行うための無線通信インタフェース回路とを有する通信部が用いられてもよい。所定の通信プロトコルは、例えば無線ＬＡＮ（Local Area Network）である。
【００６５】
記憶装置１４３は、ＲＡＭ（Random Access Memory）、ＲＯＭ（Read Only Memory）等のメモリ装置、ハードディスク等の固定ディスク装置、又はフレキシブルディスク、光ディスク等の可搬用の記憶装置等を有する。また、記憶装置１４３には、原稿搬送装置１００の各種処理に用いられるコンピュータプログラム、データベース、テーブル等が格納される。コンピュータプログラムは、コンピュータ読み取り可能な可搬型記録媒体から、公知のセットアッププログラム等を用いて記憶装置１４３にインストールされてもよい。可搬型記録媒体は、例えばＣＤ−ＲＯＭ（compact disk read only memory）、ＤＶＤ−ＲＯＭ（digital versatile disk read only memory）等である。さらに、記憶装置１４３には、読取画像が格納される。
【００６６】
ＣＰＵ１５０は、予め記憶装置１４３に記憶されているプログラムに基づいて動作する。なお、ＣＰＵ１５０に代えて、ＤＳＰ（digital signal processor）、ＬＳＩ（large scale integration）等が用いられてよい。また、ＣＰＵ１５０に代えて、ＡＳＩＣ（Application Specific Integrated Circuit）、ＦＰＧＡ（Field-Programming Gate Array）等が用いられてもよい。
【００６７】
ＣＰＵ１５０は、操作ボタン１０６、接触センサ１１１、第１光センサ１１４、超音波センサ１１５、第２光センサ１１８、第１撮像装置１１９ａ、第２撮像装置１１９ｂ、第１Ａ／Ｄ変換器１４０ａ、第２Ａ／Ｄ変換器１４０ｂ、駆動装置１４１、インタフェース装置１４２及び記憶装置１４３等と接続され、これらの各部を制御する。ＣＰＵ１５０は、駆動装置１４１の駆動制御、撮像装置１１９の原稿読取制御等を行い、読取画像を取得する。
【００６８】
以上詳述したように、フィルムで形成された第１防塵ユニット１２３により第１撮像装置１１９ａの第１開口部２１７ａと第１照明装置１２０ａの第２開口部２０６ａの間は、第１照明装置１２０ａの移動に関わらず密閉される。したがって、原稿搬送装置１００は、第１照明装置１２０ａの移動に係る負荷を一定に保ちつつ、防塵性をより向上させることが可能となった。
【００６９】
これにより、第１撮像装置１１９ａ又は第１照明装置１２０ａ内部に埃が堆積することが防止され、読み取った画像への縦筋ノイズ等の発生、又は、画像の切出し領域の判定誤りの発生等を抑制することが可能となった。したがって、第１撮像装置１１９ａ及び第１照明装置１２０ａの修復又は保守に要する時間及び費用を削減することも可能となった。また、第１照明装置１２０ａの移動を繰り返しても、第１防塵ユニット１２３により第１照明装置１２０ａの移動時に生じる負荷は変化しないため、原稿搬送装置１００は、原稿を正しく搬送し続けることが可能となった。さらに、第１照明装置１２０ａの移動を繰り返しても、第１フィルム２２０ａ及び第２フィルム２２０ｂは変形しないため、原稿搬送装置１００は、第１撮像装置１１９ａと第１照明装置１２０ａの間を密閉し続けることが可能となった。
【００７０】
図９Ａ、図９Ｂは、第１防塵ユニットの他の構成を説明するための図である。図９Ａは、第１防塵ユニット３２３の斜視図である。図９Ｂは、広がった状態（第１照明装置１２０ａが下降している状態）の第１防塵ユニット３２３の断面図である。
【００７１】
図９Ａ、図９Ｂに示す第１防塵ユニット３２３は、第１防塵ユニット１２３の代わりに用いられる。図９Ａ、図９Ｂに示すように、第１防塵ユニット３２３は、第１フィルム４２０ａ、第２フィルム４２０ｂ、第３フィルム４２０ｃ及び第４フィルム４２０ｄを含む。第１フィルム４２０ａ、第２フィルム４２０ｂ、第３フィルム４２０ｃ及び第４フィルム４２０ｄは、ロの字状（中空矩形状）である。
【００７２】
第１フィルム４２０ａ及び第３フィルム４２０ｃは、第１フィルム４２０ａの外周４２１ａ及び第３フィルム４２０ｃの外周４２１ｃに沿って、溶着により、相互に貼りつけられる。また、第３フィルム４２０ｃ及び第４フィルム４２０ｄは、第３フィルム４２０ｃの内周４２２ｃ及び第４フィルム４２０ｄの内周４２２ｄに沿って、溶着により、相互に貼りつけられる。また、第４フィルム４２０ｄ及び第２フィルム４２０ｂは、第４フィルム４２０ｄの外周４２１ｄ及び第２フィルム４２０ｂの外周４２１ｂに沿って、溶着により、相互に貼りつけられる。
【００７３】
一方、第１フィルム４２０ａ及び第２フィルム４２０ｂの、第３フィルム４２０ｃ及び第４フィルム４２０ｄと接着しない側の面には、両面テープが貼り付けられている。その両面テープにより、第１フィルム４２０ａが、第１開口部２１７ａに沿って第１撮像装置１１９ａに貼り付けられ、第２フィルム４２０ｂが、第２開口部２０６ａに沿って第１照明装置１２０ａに貼り付けられる。これにより、第１フィルム４２０ａは、第１開口部２１７ａの全周囲を覆うように取り付けられ、第２フィルム４２０ｂは、第２開口部２０６ａの全周囲を覆うように取り付けられる。
【００７４】
このように、第１防塵ユニット３２３において、第１フィルム４２０ａ、第２フィルム４２０ｂ、第３フィルム４２０ｃ及び第４フィルム４２０ｄの端部周囲は、密閉される。そして、第１光源２０２ａ、２０３ａによって照らされた原稿の反射光は、第１フィルム４２０ａ、第２フィルム４２０ｂ、第３フィルム４２０ｃ及び第４フィルム４２０ｄの開口部４２３を通過する。
【００７５】
また、第１防塵ユニット３２３において、第１フィルム４２０ａ及び第２フィルム４２０ｂは省略されてもよい。その場合、第３フィルム４２０ｃ及び第４フィルム４２０ｄには、第３フィルム４２０ｃの外周４２１ｃ及び第４フィルム４２０ｄの外周４２１ｄに沿って、両面テープが貼り付けられる。そして、その両面テープにより、第３フィルム４２０ｃが第１撮像装置１１９ａに貼り付けられ、第４フィルム４２０ｄが第１照明装置１２０ａに貼り付けられる。
【００７６】
以上詳述したように、フィルムで形成された第１防塵ユニット３２３によっても第１撮像装置１１９ａの第１開口部２１７ａと第１照明装置１２０ａの第２開口部２０６ａの間は、第１照明装置１２０ａの移動に関わらず密閉される。したがって、原稿搬送装置１００は、第１照明装置１２０ａの移動に係る負荷を一定に保ちつつ、防塵性をより向上させることが可能となった。
【００７７】
但し、第１防塵ユニット１２３では、外周部分において二つのフィルムが溶着され、二つのフィルムの間が閉じているため、外側からの力が加わりにくい。一方、第１防塵ユニット３２３では、外周部分において第３フィルム４２０ｃと第４フィルム４２０ｄの間が開いているため、外側からの力が加わり易い。そのため、第１防塵ユニット３２３は、第１防塵ユニット１２３よりも引き裂かれ易く、強度の観点において、第１防塵ユニット１２３の構造の方が第１防塵ユニット３２３の構造より好ましい。
【符号の説明】
【００７８】
１００    原稿搬送装置
１１９ａ    第１撮像装置
１２０ａ    第１照明装置
１２３    第１防塵ユニット
２０２ａ    第１光源
２１６ａ    第１撮像素子
２１７ａ    第１開口部
２０６ａ    第２開口部
２２０ａ    第１フィルム
２２０ｂ    第２フィルム
【図１】
2017098610.tif 000003
【図２】
2017098610.tif 000004
【図３】
2017098610.tif 000005
【図４Ａ】
2017098610.tif 000006
【図４Ｂ】
2017098610.tif 000007
【図４Ｃ】
2017098610.tif 000008
【図５】
2017098610.tif 000009
【図６Ａ】
2017098610.tif 000010
【図６Ｂ】
2017098610.tif 000011
【図７Ａ】
2017098610.tif 000012
【図７Ｂ】
2017098610.tif 000013
【図８】
2017098610.tif 000014
【図９Ａ】
2017098610.tif 000015
【図９Ｂ】
2017098610.tif 000016